(57)【特許請求の範囲】
【請求項１】
ＣＥＣが５５ｍｅｑ／１００ｇ以下である古畳粉砕物。
【請求項２】
ＣＥＣが５５ｍｅｑ／１００ｇ以下である古畳粉砕物と家畜糞尿及び／又は生ゴミとを混合し、発酵することを特徴とする堆肥の製造方法。
【請求項３】
ＣＥＣが５５ｍｅｑ／１００ｇ以下である古畳粉砕物と家畜糞尿及び／又は生ゴミとを固形分として１：０．０５〜１：８．０（重量比）の範囲で混合したものを発酵原料とし、水分量が３０〜７０重量％になるように調整した後、発酵することを特徴とする堆肥の製造方法。
【発明の詳細な説明】
【０００１】
【産業上の利用分野】
本発明は古畳粉砕物、特に堆肥化原料として有用な古畳粉砕物に関する。
【０００２】
【従来の技術】
古畳の年間発生量は２０００万枚以上にも及ぶと言われ、焼却するか、堆積・腐熟させて堆肥として利用するか、裁断し、家畜糞尿あるいは生ゴミと混合して発酵させ堆肥として利用しているのが現状である。しかしながら、焼却する方法に於いては公害の問題があり、堆肥として利用する方法に於いては、市販発酵菌を利用して有効に堆肥化しても完全堆肥化までに４ヶ月以上を必要とする。
【０００３】
【発明が解決しようとする課題】
そこで、本発明者らは、古畳を早期に腐熟し、発酵させる方法について鋭意検討を重ねた結果、古畳をＣＥＣが５５ｍｅｑ／１００ｇ以下になるように粉砕すると極めて早く堆肥化できることを発見し、かかる知見に基づき本発明を完成したものである。
【０００４】
【課題を解決するための手段】
即ち、本発明はＣＥＣが５５ｍｅｑ／１００ｇ以下である古畳粉砕物に関する。
【０００５】
【発明の実施の形態】
古畳を５５ｍｅｑ／１００ｇ以下に粉砕する方法としては、例えば古畳を３〜６ｃｍに裁断し、これをローラーミル、クラッシャーミルなど任意の粉砕機で粉砕・磨砕すれば良い。また、市販の植繊機を使用することもできる。古畳は経済性を伴う限界範囲で裁断しても、即ち０．５ｃｍ程度ではＣＥＣは高々７５ｍｅｑ／１００ｇであり、破砕しても６５ｍｅｑ／１００ｇ以下にすることは著しい困難を伴う。従って本発明においては経済的範囲即ち、３〜６ｃｍ程度に裁断した後、粉砕することが望ましい。粉砕機の種類によって異なるが、一般に粉砕時間が長くなるほどＣＥＣは小さくなる。粉砕機の種類にもよるが、一般的には５〜２０分、実施例に於いて使用する特殊な植繊機では２〜１５秒でＣＥＣを５５ｍｅｑ／１００ｇ以下にすることができる。
【０００６】
植繊機の運転に際しては、粉砕時に水分を添加することによって、機械の円滑な運転が可能となる。野菜クズや食品残滓物などの生ゴミを加えることでこの水分を補い、より良質な発酵前原料が得られる。このような古畳の粉砕方法は堆肥を製造する上に於いては極めて好ましい。
【０００７】
ところで、公知の古畳の堆肥化方法は、古畳を裁断した後、へリ布、畳糸を分別するか、ヘリ布部を裁断し予めこの部分を取り除いた後ワラ部のみを取り出し、糸抜きした後、ワラを裁断し堆肥原料としているのが一般的である。本発明に於いても上記の方法で、ヘリ布、畳糸を取り除くことが望ましいが、本発明ではＣＥＣが５５ｍｅｑ／ｇ以下になるまで粉砕するから、ヘリ布、畳糸は形骸をとどめなくなるほど細かく裁断・微粉砕され、必ずしも取り除く必要はない。
【０００８】
このようにして粉砕した本発明古畳粉砕物は、堆肥化の原料、殊に家畜糞尿及び／又は生ゴミと混合して堆肥原料として使用したときに最も有効である。今その利点について述べると、（１）実施例で示すように、驚くほど早く腐熟が進行する。（２）ＣＥＣが５５ｍｅｑ／１００ｇ以下になるまで粉砕すると、家畜糞尿あるいは生ゴミと混合したとき裁断物に比べて著しく悪臭が軽減する。（３）裁断物に比べて尿吸収量が遙かに大きいなどである。
【０００９】
次に本発明古畳粉砕物と家畜糞尿及び／又は生ゴミを用いて堆肥を製造する方法について述べると、本発明古畳粉砕物と家畜糞尿及び／又は生ゴミとを固形分として１：０．０５〜１：８．０(重量比)、望ましくは１：０．２〜１：１．５（重量比）の範囲で混合する。家畜糞尿及び／又は生ゴミの水分が少ないときは水を加えて調整する。
【００１０】
一般に家畜糞尿や生ゴミには多くの発酵菌が存在するので発酵菌を添加する必要はないが、市販の発酵菌を添加しても良い。また、発酵に先立ち、本発明の効果を阻害しない範囲で石灰窒素、尿素、パーライト、バーミキュライト、バーク、おがくずなどを加えても良い。これら添加物を利用するときは、発酵前原料即ち、添加物含有発酵前原料の水分量は３０〜７０重量％になるように調整する。いずれにしても発酵前原料中の古畳粉砕物と家畜糞尿及び／又は生ゴミとの合量固形分含量は少なくとも３０重量％以上あるべきである。
【００１１】
さて、このようにして発酵前原料を調整した後は、常法に従って発酵、堆肥化すれば良い。即ち、堆積−発酵−切り返し−発酵−切り返しを４〜６回程度繰り返し、発酵温度が３０〜４０℃になれば切り返しを終了しても良い。この方法によるときは概ね２〜４週間で堆肥化は終了する。
【００１２】
以上、主に本発明古畳粉砕物を堆肥原料として使用する方法について述べたが、本発明古畳粉砕物の物理学的特徴は、ＣＥＣが低いこと、水分殊に尿吸収性が高いこと、比表面積が大きいこと、弾力性が大きいことなどである。従って、本発明古畳粉砕物は尿吸収量が大きく、悪臭防止効果も高いので家畜用床敷材として、また、比表面積、ＣＥＣも低いので土壌改良材、園芸培土用保水材として、また、ワラに由来し弾力性を有することから陶器、果物、家電製品等箱詰の緩衝充填材等としても利用することができる。
【００１３】
【実施例】
以下に本発明の実施例を掲げ更に詳しく説明するが、本発明はこれらに限定されるものではない。尚、特に断らない限り％は全て重量％を示す。
【００１４】
（実施例１）
古畳を切断機で裁断した後、更に破砕機で２〜５ｃｍ程度に裁断し、これを植繊機（神鋼造機株式会社製）で５秒間及び１０秒間破砕・粉砕した。この古畳粉砕物のＣＥＣをショーレンベルガー法に従って測定したところ、それぞれ４３及び３７ｍｅｑ／１００ｇであった。尚、４ｃｍ程度に裁断後のＣＥＣは８８ｍｅｑ／１００ｍｇであった。
【００１５】
（実施例２）
実施例１と同様の方法により、古畳を３ｃｍに裁断のみしたもの（Ａ）及び古畳を裁断と破砕・粉砕したもの（Ｂ）、（Ｃ）、（Ｄ）、（Ｅ）についてＣＥＣを測定したところそれぞれ８１（Ａ）、 ６２（Ｂ）、５５（Ｃ）、３５（Ｄ）、２８（Ｅ）ｍｅｑ／１００ｇであった。この古畳粉砕物（固形分８０〜８５％）各１００部と牛糞尿（固形分１５％）４０部とを混合し、各密閉容器に入れ３０分後に蓋を開け、５人で臭覚テストを行った結果、（Ａ）（Ｂ）はひどい悪臭で、（Ｃ）、（Ｄ）、（Ｅ）はあまり悪臭がなかった．これらの結果から本発明古畳粉砕物は、家畜床敷材として極めて有用であることが判る。
【００１６】
（実施例３）
実施例２で製造した古畳粉砕物（Ｂ）、（Ｃ）、（Ｄ）、（Ｅ）を用いて堆肥を製造した。（Ｂ）、（Ｃ）、（Ｅ）には古畳粉砕物１００部に牛糞尿（固形分１５％）１６０部を添加・混合し、（Ｄ）には古畳粉砕物１００部に生ゴミ（固形分５５％）１６０部を添加・混合し、これを４週間堆積した。この間１週間毎に切り返しを行った。（Ｅ）の最高温度は７３℃、（Ｄ）（Ｃ）（Ｂ）の最高温度はそれぞれ６３℃、６０℃、４８℃であった。また４週間後の腐熟化度を測定した結果、次の通りであった。
【００１７】
堆肥の腐熟度検定法
▲１▼堆肥に２０倍重量の水を加え、６０℃で３時間抽出する。
▲２▼濾液（対照区は水）１０ｍｌを濾紙２枚を敷いたシャーレに入れる。
▲３▼コマツナの種子を５０粒まく。室温に保ち３〜６日後に発芽率と根の状態を観察する。
その結果を表１に示す。
【００１８】
【表１】
0003809940.tif 000002
【００１９】
本発明古畳粉砕物は優れた堆肥化原料、特に家畜糞尿や生ゴミを利用した場合の堆肥化原料として極めて優れたものであることが判る。
【００２０】
【発明の効果】
本発明古畳粉砕物はＣＥＣが低く家畜糞尿あるいは生ゴミををより用いた場合の堆肥化原料として特に有用であり、また本発明古畳粉砕物は尿吸収性、比表面積、弾力性が大きい特徴を有し、悪臭防止効果も高いので家畜用床敷材、家畜糞尿処理剤として、また土壌改良材、園芸培土用保水材として、更にまた陶器、果物、家電製品等箱詰の緩衝充填材等としても利用することができる。